(57)【要約】      （修正有）【課題】屋外でシート等を敷いて、飲食をするさい各々が様々な所にコップや缶を置くとき、わずかな振動やズレによって倒れたりして、不安定な状態で置かれているものである。また、走っている車内でコップ類、飲料缶を利用するとき不安定で倒れやすいものである。よって、これらのことを防ぎ、安定した置き台を提供するものである。【解決手段】安定置き台は、金属、あるいは樹脂製の細い材質によって底部と上部に円形状の枠１、２を形成する。上部の枠２は飲料缶、コップなどの円形よりやや大きめにして、底部は上部の枠２を安定するように大の円形状の枠１として、この底部と上部の枠１、２を支持棒３で介装するように設けた。【選択図】図１
2006130263.tif 000002
【特許請求の範囲】
【請求項１】
半径の異なる円形状の細い枠を２個以上設けて、夫々の一端に支持棒を接続する。底部の円形状の枠を大きく、上部の円形状の枠を小さく立設したことを特徴とするコップ安定置き台。
【請求項２】
夫々の前記円形状と前記支持棒の接続ヵ所を可動できるように接続して、折りたたむことができることを特徴とする請求項１記載のコップ安定置き台。
【請求項３】
底部である前記円形状の前記枠に、弾力性の材質によって腕状を一か所以上取り付ける。前記腕状に伸ばした端に吸盤を取り付ける。吸盤面は前記枠の底面と水平なるように設けることで、底部の前記枠が底面に対して定着することを特徴とする請求項１又は２記載のコップ安定置き台。
【発明の詳細な説明】
【技術分野】
【０００１】  本発明は、異なる半径の円形状の枠を２個以上設けて、夫々の一端を支持棒で連結する。底部を大の円形状の枠、上部に小の円形状の枠をを形成した、コップの倒れにくい安定した置き台に関する。
【背景技術】
【０００２】  従来、コップ類の置き台において、日常使い易くするため、様々なコースターや置き台がある。【０００３】  コースターの上面に自己粘着性を有する軟質合成樹脂よりなる湯飲み茶碗受け部埋め込むようにした転倒防止コースターがある。（例えば特許文献１参照）
また、食器や飲料容器を設置可能な大きさ有し、適所に鉄製の薄片が取り付けたシートと、容器の底部にジョイントする具に磁石を取り付けて、シート上に置くことで使用する。飲料容器安定用シートセットがある。（例えば特許文献２参照）【０００４】
【特許文献１】  実開平７−２３４６０号公報
【特許文献２】  実開平４−５４２７７号公報
【発明の開示】
【発明が解決しようとする課題】
【０００５】  しかしながら、従来のコースターや転倒防止容器具に下記のような問題がある。
特許文献１、特許文献２において、野外等で利用するとき下地が砂利や凸凹した所において置きずらい所、また振動などで倒れやすい状況などによって紙コップや様々な飲料容器を利用するには使い勝手が悪く不便である。【０００６】  そこで本発明は、上記の課題を鑑み、製品単価を安く提供して、軽量で、どのような所でも使いやすくするものである。
【課題を解決するための手段】
【０００７】  上記の課題を解決するため、本発明は細い金属棒あるいは、細い合成樹脂によって、異なる半径の円形を２個以上形成する。上部に小の円形状、底部に大の円形状にして、それぞれの円形の枠の一端を支持棒によって介装することを特徴とする。
によって、間隔をおいて接合することを特徴とする。【０００８】  また、底部における前記大の円形状の枠と上部の前記小の円形状の枠の一端に、前記支持棒の接合部を半固定にして、平面に折り畳みできるように設けたことを特徴とする。【０００９】  また、底部の前記円形状の枠の内側に吸盤を取り付けて、吸盤面がテーブル面に吸着すると底部の前記円形状の枠もテーブル面に定着する。したがって、振動などに対して安定するように設けたことを特徴とする。
【発明の効果】
【００１０】  本発明は、以上説明したように構成されているので、以下に記載されているような効果を奏する。【００１１】  請求項１記載の発明によれば、野外での飲食などのときコップ等の容器を利用時、下地が悪い状況であっても不安定にならず倒れないものである。また、シートなどを敷いて利用するときシートの変動に対しても安定で、安心して利用できるものである。
さらに、一つ一つ独立していることから置き場所を自由に選ぶことができ便利である。
そして、水や湿気に強く長期間利用できて、製造単価も安く提供できるものである。【００１２】  請求項２記載の発明によれば、折りたたみができることから数多く重ねて持ち運びできることで、かさばらず大変便利である。【００１３】  請求項３記載の発明によれば、本発明を利用することでコップ、飲料缶等が振動、または乗り物などの利用にの時、急な変化、振動に対しても吸盤によって底部が滑ったり、倒れたりすることなく安全に安定した置き台として信頼できるものである。
【発明を実施するための最良の形態】
【００１４】  本発明の実施の形態について図面を参照して説明する。
図１、図２を参照して、本発明の第一実施例を説明する。大の円形状の枠１を底部として、その一端に支持棒３を斜め上に接続して、その前記支持棒３の上端に小の円形状の枠２を接続する。この状態で置いて、上から見た正面図が図２である。
いま、その底面７を地面、または下地のシートに接触させて置き、円形状の枠の中に紙コップ８、樹脂コップなどを上から入れて置く、いま下地が石や地質などで凸凹であることから不安定で倒れそうになるが、底部７の前記大の円形状に枠１の周囲が凸部のみに接することで底部７の枠１全体を安定して、上部の前記小の円形状の枠２が支えられて、コップ８など飲食缶の倒れることを防ぐものである。
また、シートなどを敷いた状態のとき凸凹となり、わずかな振動やズレが生じるがコップや缶が倒れることなく、安定した置き台として利用できるものである。【００１５】  また、図３、図４、を参照して、本発明の第二実施例を説明する。夫々の円形状の枠１Ａ、２Ａの一端に支持棒３Ａを取り付けるとき、上部と底部の取付け部を半固定に取り付けて必要に応じて可動ができるように設ける。したがって利用するときの組み立ては、前記大の円形状の枠１Ａを下側にして前記支持棒３Ａをやや斜めにして垂直に起こす、上部の前記小の円形状の枠２Ａを水平に起こして利用するものである。
また、収納するときは折りたたんで図４のようになる。したがって、数多くを重ねても、かさばらず持ち運びを容易にしたものである。【００１６】  また、図５、図６、図７を参照して、本発明の第三実施例を説明する。底部の大の円形状の枠１Ｂの両端より腕状５に伸ばした先端に吸盤６を取り付けて、その上部に支持棒３Ｂに支えられた小の円形状の枠２Ｂとなっている。
また、前記腕状５は弾力性のある材質によって設けて、前記吸盤６の底面は前記大の円形状の枠１Ｂの底面７Ｂと同一の位置になるように形成する。
よってテーブル９等の面に前記大の円形状の枠１Ｂを置き、両端に出た前記吸盤６を吸着することで弾力性の前記腕状５によって前記大の円形状の枠１Ｂの底面７Ｂがテーブル９上に密着するようにセットすることで車、列車などの移動体の中で振動、横ブレがあっても、ここに納められたコップ類は倒れることも、ずれることもなく安定した置き台として利用できるものである。
また、吸盤６は前記大の円形状の枠１Ｂの外側に設けても同様の効果が得られる。【００１７】  なお、支持棒３、３Ａ，３Ｂを数ヵ所設けることで、なお一層の安定を図ることができるものである。
【図面の簡単な説明】
【００１８】
【図１】本発明の第一実施例を示す斜視図である。
【図２】本発明の第一実施例を示す平面図である。
【図３】本発明の第二実施例を示す斜視図である。
【図４】本発明の第二実施例を折りたたんだ状態の平面図である。
【図５】本発明の第三実施例を示す斜視図である。
【図６】図５の平面図である。
【図８】図５の吸盤部分の拡大図である。
【符号の説明】
【００２２】１、１Ａ、１Ｂは大の円形状の枠                ２、２Ａ、２Ｂは小の円形状の枠
３、３Ａ、３Ｂは支持棒                        ４Ａは上部の取付部
４Ｂは下部の取付部                            ５は弾力性の腕状
６は吸盤                                      ７、７Ａ、７Ｂは底面
８はコップ                                    ９はテーブル
【図１】
2006130263.tif 000003
【図２】
2006130263.tif 000004
【図３】
2006130263.tif 000005
【図４】
2006130263.tif 000006
【図５】
2006130263.tif 000007
【図６】
2006130263.tif 000008
【図７】
2006130263.tif 000009
【手続補正書】
【提出日】平成16年12月24日(2004.12.24)
【手続補正１】
【補正対象書類名】明細書
【補正対象項目名】００１８
【補正方法】変更
【補正の内容】
【００１８】
【図１】
本発明の第一実施例を示す斜視図である。
【図２】
本発明の第一実施例を示す平面図である。
【図３】
本発明の第二実施例を示す斜視図である。
【図４】
本発明の第二実施例を折りたたんだ状態の平面図である。
【図５】
本発明の第三実施例を示す斜視図である。
【図６】
図５の平面図である。
【図７】
図５の吸盤部分の拡大図である。
【符号の説明】
【手続補正書】
【提出日】平成17年3月4日(2005.3.4)
【手続補正１】
【補正対象書類名】明細書
【補正対象項目名】０００７
【補正方法】変更
【補正の内容】
【０００７】  上記の課題を解決するため、本発明は細い金属棒あるいは、細い合成樹脂によって、異なる半径の円形を２個以上形成する。上部に小の円形状、底部に大の円形状にして、それぞれの円形の枠の一端を支持棒によって介装することを特徴とする。